(57)【要約】【課題】ドアを閉じる方向に付勢するためのドアクローザーに於いて、ドアを開いた時に、ドアの作動をロックすると共に、所定時間経過後にロックを解除してドアを自動的に閉じることができるドアクローザーを提供する。【解決手段】ドアを閉じる方向に付勢するためのドアクローザーに於いて、ドアが所定の第１角度開いた時に、ドアの閉じる方向への作動をロックするロック手段と、ロック手段のロックを第１所定時間経過後に解除するロック解除手段とを備えたディレイ機構９を設ける。ディレイ機構９は、ドアのロック手段であり、且つ、ロック板１８に嵌入自在のロックピン１５と、ドアの回転数を増大して伝達する遊星ギアユニット１１と、遊星ギアユニット１１の回転により巻き上げられるゼンマイ１２と、ゼンマイ１２の巻き戻しにより回転し、ロックピン１５のロックを第１所定時間経過後に解除するロック解除手段であるタイマープレート１４とを備えて成る。【選択図】図２
2007113351.tif 000002
【特許請求の範囲】
【請求項１】
ドアを閉じる方向に付勢するためのドアクローザーに於いて、ドアが所定の第１角度開いた時に、ドアの閉じる方向への作動をロックするロック手段と、該ロック手段のロックを第１所定時間経過後に解除するロック解除手段とを備えたディレイ機構を設けたことを特徴とするドアクローザー。
【請求項２】
上記ディレイ機構は、ドアのロック手段であり、且つ、ロック板に嵌入自在のロックピンと、ドアの回転数を増大して伝達する遊星ギアユニットと、該遊星ギアユニットの回転により巻き上げられるゼンマイと、該ゼンマイの巻き戻しにより回転し、前記ロックピンのロックを第１所定時間経過後に解除するロック解除手段であるタイマープレートとを備えて成ることを特徴とする請求項１記載のドアクローザー。
【請求項３】
上記ドアクローザーは、ドアクローザー本体と、ドアクローザー本体に回転自在に枢着されるレバーと、該レバー先端部に回転自在に枢着されるアームと、該アームを回転自在に枢着する壁固定用ステーと、上記ディレイ機構とを備え、該ディレイ機構は、前記壁固定用ステーと前記アームとの枢着部に設けられることを特徴とする請求項１又は２記載のドアクローザー。
【請求項４】
上記ドアクローザーは、ドアクローザー本体と、ドアクローザー本体に回転自在に枢着されるレバーと、該レバー先端部に回転自在に枢着されるアームと、該アームを回転自在に枢着する壁固定用ステーと、上記ディレイ機構とを備え、該ディレイ機構は、前記レバー先端部と前記アームとの枢着部に設けられることを特徴とする請求項１又は２記載のドアクローザー。
【請求項５】
上記ドアクローザーは、ドアクローザー本体と、ドアクローザー本体に回転自在に枢着されるレバーと、該レバー先端部に回転自在に枢着されるアームと、該アームを回転自在に枢着する壁固定用ステーと、上記ディレイ機構とを備え、該ディレイ機構は、前記ドアクローザー本体と前記レバーとの枢着部に設けられることを特徴とする請求項１又は２記載のドアクローザー。
【請求項６】
上記ドアが上記第１角度に開いたことを検知する第１角度センサーと、タイマーと、ブザーと、該第１角度センサーが、ドアが第１角度に開いたことを検知した時、前記タイマーを作動させ、該タイマーによる上記第１所定時間よりも大なる第２所定時間計測後に、ドアが第１角度に開いていることを該第１角度センサーが検知した時、前記ブザーを作動させるように構成された制御回路とを備えたことを特徴とする請求項１乃至５のうちいずれか一に記載のドアクローザー。
【請求項７】
上記ロック板に、ドアが第１角度に開いた時に、上記ロックピンを嵌入させるためのロック孔を開穿すると共に、ドアが第１角度よりも大なる第２角度に開いた時に、該ロックピンを嵌入させるためのロック穴を形成したことを特徴とする請求項２乃至６のうちいずれか一に記載のドアクローザー。
【請求項８】
上記ドアが上記第１角度に開いたことを検知する第１角度センサーと、上記ドアが上記第２角度に開いたことを検知する第２角度センサーと、タイマーと、ブザーと、該第１角度センサーが、ドアが第１角度に開いたことを検知した時、前記タイマーを作動させ、該タイマーによる上記第１所定時間よりも大なる第２所定時間計測後に、ドアが第１角度に開いていることを該第１角度センサーが検知した時、前記ブザーを作動させるように構成され、且つ、前記第２角度センサーが、ドアが第２角度に開いたことを検知した時、前記タイマーを作動させ、該タイマーによる第３所定時間計測後に、ドアが第２角度に開いていることを該第２角度センサーが検知した時、前記ブザーを作動させるように構成された制御回路とを備えたことを特徴とする請求項７記載のドアクローザー。
【発明の詳細な説明】
【技術分野】
【０００１】
本発明は、ドアを閉じる方向に付勢するためのドアクローザーに関し、特に、ドアを開いた時に、ドアの作動をロックすると共に、所定時間経過後にロックを解除してドアを自動的に閉じることができるドアクローザーに関する。
【背景技術】
【０００２】
近年、ドアを自動的に閉じることができると共に、ドアを全開した時は、ドア全開状態でロックするドアクローザーが広く普及している。
【０００３】
このドアクローザーは、ドアを全開した時、ドア全開状態でロックするので、ドア通過後、手動でドアを閉じなければならなかった。
【０００４】
特に、荷物等の搬入時等、両手がふさがっている場合は、ドア通過後、手動でドアを閉じる作業は、煩雑であり、この煩雑な作業を回避することが望まれている。又、ドアを閉じることを失念する虞もあり、ドアを全開状態で放置することは、セキュリティ上問題である。
【０００５】
尚、ドアクローザーの先行技術として、例えば、特許文献１が挙げられる。特許文献１は、感知器による直流モーターに設けた偏芯カムと別のリンク機構の作動により、ドアクローザーの腕杆枢着軸の下端に設けた閉止カムとロックする球体を嵌脱自在に動かして、開放停止中の扉を閉鎖するようにしたものである。
【特許文献１】特開平８−１２６７１４号公報
【発明の開示】
【発明が解決しようとする課題】
【０００６】
前述したように、ドアを全開した時、ドア全開状態でロックするドアクローザーに於いて、ドア通過後、手動でドアを閉じる作業を回避することが望まれている。
前述の望みを達成するために、例えば、ドア通過後、一定時間後に、自動でドアを閉じる機構をドアクローザーに設けることが考えられる。
【０００７】
又、現代社会に於いてセキュリティは極めて重要な課題であり、そのため、セキュリティ設備（電子キー、バイオメトリクス認証など）を備えたドアが増加しているが、そのようなドアには殆どドアクローザーが使用され、ドアクローザーを用いたドアは増加しており、前述した要望が次第に強くなってきている。
【０００８】
尚、前記特許文献１は、開放停止中の扉を閉鎖するものであるが、ドア通過後、一定時間後に、自動でドアを閉じる機構ではない。
【０００９】
以上の現状に鑑み、本発明は、ドアを閉じる方向に付勢するためのドアクローザーに於いて、ドアを開いた時に、ドアの作動をロックすると共に、所定時間経過後にロックを解除してドアを自動的に閉じることができるドアクローザーを提供することを目的とする。
【課題を解決するための手段】
【００１０】
上記の課題を解決すべく、本発明は以下の構成を提供する。
請求項１に係る発明は、ドアを閉じる方向に付勢するためのドアクローザーに於いて、ドアが所定の第１角度開いた時に、ドアの閉じる方向への作動をロックするロック手段と、該ロック手段のロックを第１所定時間経過後に解除するロック解除手段とを備えたディレイ機構を設けたことを特徴とするドアクローザーを提供するものである。
【００１１】
請求項２に係る発明は、上記ディレイ機構は、ドアのロック手段であり、且つ、ロック板に嵌入自在のロックピンと、ドアの回転数を増大して伝達する遊星ギアユニットと、該遊星ギアユニットの回転により巻き上げられるゼンマイと、該ゼンマイの巻き戻しにより回転し、前記ロックピンのロックを第１所定時間経過後に解除するロック解除手段であるタイマープレートとを備えて成ることを特徴とする請求項１記載のドアクローザーを提供するものである。
【００１２】
請求項３に係る発明は、上記ドアクローザーは、ドアクローザー本体と、ドアクローザー本体に回転自在に枢着されるレバーと、該レバー先端部に回転自在に枢着されるアームと、該アームを回転自在に枢着する壁固定用ステーと、上記ディレイ機構とを備え、該ディレイ機構は、前記壁固定用ステーと前記アームとの枢着部に設けられることを特徴とする請求項１又は２記載のドアクローザーを提供するものである。
【００１３】
請求項４に係る発明は、上記ドアクローザーは、ドアクローザー本体と、ドアクローザー本体に回転自在に枢着されるレバーと、該レバー先端部に回転自在に枢着されるアームと、該アームを回転自在に枢着する壁固定用ステーと、上記ディレイ機構とを備え、該ディレイ機構は、前記レバー先端部と前記アームとの枢着部に設けられることを特徴とする請求項１又は２記載のドアクローザーを提供するものである。
【００１４】
請求項５に係る発明は、上記ドアクローザーは、ドアクローザー本体と、ドアクローザー本体に回転自在に枢着されるレバーと、該レバー先端部に回転自在に枢着されるアームと、該アームを回転自在に枢着する壁固定用ステーと、上記ディレイ機構とを備え、該ディレイ機構は、前記ドアクローザー本体と前記レバーとの枢着部に設けられることを特徴とする請求項１又は２記載のドアクローザーを提供するものである。
【００１５】
請求項６に係る発明は、上記ドアが上記第１角度に開いたことを検知する第１角度センサーと、タイマーと、ブザーと、該第１角度センサーが、ドアが第１角度に開いたことを検知した時、前記タイマーを作動させ、該タイマーによる上記第１所定時間よりも大なる第２所定時間計測後に、ドアが第１角度に開いていることを該第１角度センサーが検知した時、前記ブザーを作動させるように構成された制御回路とを備えたことを特徴とする請求項１乃至５のうちいずれか一に記載のドアクローザーを提供するものである。
【００１６】
請求項７に係る発明は、上記ロック板に、ドアが第１角度に開いた時に、上記ロックピンを嵌入させるためのロック孔を開穿すると共に、ドアが第１角度よりも大なる第２角度に開いた時に、該ロックピンを嵌入させるためのロック穴を形成したことを特徴とする請求項２乃至６のうちいずれか一に記載のドアクローザーを提供するものである。
【００１７】
請求項８に係る発明は、上記ドアが上記第１角度に開いたことを検知する第１角度センサーと、上記ドアが上記第２角度に開いたことを検知する第２角度センサーと、タイマーと、ブザーと、該第１角度センサーが、ドアが第１角度に開いたことを検知した時、前記タイマーを作動させ、該タイマーによる上記第１所定時間よりも大なる第２所定時間計測後に、ドアが第１角度に開いていることを該第１角度センサーが検知した時、前記ブザーを作動させるように構成され、且つ、前記第２角度センサーが、ドアが第２角度に開いたことを検知した時、前記タイマーを作動させ、該タイマーによる第３所定時間計測後に、ドアが第２角度に開いていることを該第２角度センサーが検知した時、前記ブザーを作動させるように構成された制御回路とを備えたことを特徴とする請求項７記載のドアクローザーを提供するものである。
【発明の効果】
【００１８】
本発明の請求項１記載の発明によれば、ドアを閉じる方向に付勢するためのドアクローザーに於いて、ドアが所定の第１角度開いた時に、ドアの閉じる方向への作動をロックするロック手段と、該ロック手段のロックを第１所定時間経過後に解除するロック解除手段とを備えたディレイ機構を設けたドアクローザーを提供するので、所定の第１角度開いたドアをロックし、第１所定時間経過後にロック状態を解除して、自動的にドアを閉じることができるドアクローザーを提供することができる。
【００１９】
請求項２記載の発明によれば、上記ディレイ機構は、ドアのロック手段であり、且つ、ロック板に嵌入自在のロックピンと、ドアの回転数を増大して伝達する遊星ギアユニットと、該遊星ギアユニットの回転により巻き上げられるゼンマイと、該ゼンマイの巻き戻しにより回転し、前記ロックピンのロックを第１所定時間経過後に解除するロック解除手段であるタイマープレートとを備えて成るので、請求項１記載の発明の効果と同様の効果が期待できる。
【００２０】
請求項３記載の発明によれば、上記ドアクローザーは、ドアクローザー本体と、ドアクローザー本体に回転自在に枢着されるレバーと、該レバー先端部に回転自在に枢着されるアームと、該アームを回転自在に枢着する壁固定用ステーと、上記ディレイ機構とを備え、該ディレイ機構は、前記壁固定用ステーと前記アームとの枢着部に設けられるので、請求項１又は２記載の発明の効果に加え、請求項１記載の発明の効果と同様の効果が期待できる。
【００２１】
請求項４記載の発明によれば、上記ドアクローザーは、ドアクローザー本体と、ドアクローザー本体に回転自在に枢着されるレバーと、該レバー先端部に回転自在に枢着されるアームと、該アームを回転自在に枢着する壁固定用ステーと、上記ディレイ機構とを備え、該ディレイ機構は、前記レバー先端部と前記アームとの枢着部に設けられるので、請求項１又は２記載の発明の効果に加え、請求項１記載の発明の効果と同様の効果が期待できる。
【００２２】
請求項５記載の発明によれば、上記ドアクローザーは、ドアクローザー本体と、ドアクローザー本体に回転自在に枢着されるレバーと、該レバー先端部に回転自在に枢着されるアームと、該アームを回転自在に枢着する壁固定用ステーと、上記ディレイ機構とを備え、該ディレイ機構は、前記ドアクローザー本体と前記レバーとの枢着部に設けられるので、請求項１又は２記載の発明の効果に加え、請求項１記載の発明の効果と同様の効果が期待できる。
【００２３】
請求項６記載の発明によれば、上記ドアが上記第１角度に開いたことを検知する第１角度センサーと、タイマーと、ブザーと、該第１角度センサーが、ドアが第１角度に開いたことを検知した時、前記タイマーを作動させ、該タイマーによる上記第１所定時間よりも大なる第２所定時間計測後に、ドアが第１角度に開いていることを該第１角度センサーが検知した時、前記ブザーを作動させるように構成された制御回路とを備えたので、請求項１乃至５のうちいずれか一に記載の発明の効果に加え、上記ディレイ機構が正常に作動しない時、ブザーによる警報を鳴動させることができる。
【００２４】
請求項７記載の発明によれば、上記ロック板に、ドアが第１角度に開いた時に、上記ロックピンを嵌入させるためのロック孔を開穿すると共に、ドアが第１角度よりも大なる第２角度に開いた時に、該ロックピンを嵌入させるためのロック穴を形成したので、請求項２乃至６のうちいずれか一に記載の発明の効果に加え、前記ロック穴によって、ドアが第２角度に開いた時にロック状態を維持させ、前記ディレイ機構を作動させないようにすることができる。
【００２５】
請求項８記載の発明によれば、上記ドアが上記第１角度に開いたことを検知する第１角度センサーと、上記ドアが上記第２角度に開いたことを検知する第２角度センサーと、タイマーと、ブザーと、該第１角度センサーが、ドアが第１角度に開いたことを検知した時、前記タイマーを作動させ、該タイマーによる上記第１所定時間よりも大なる第２所定時間計測後に、ドアが第１角度に開いていることを該第１角度センサーが検知した時、前記ブザーを作動させるように構成され、且つ、前記第２角度センサーが、ドアが第２角度に開いたことを検知した時、前記タイマーを作動させ、該タイマーによる第３所定時間計測後に、ドアが第２角度に開いていることを該第２角度センサーが検知した時、前記ブザーを作動させるように構成された制御回路とを備えたので、請求項７記載の発明の効果に加え、上記ディレイ機構が正常に作動しない時、ブザーによる警報を鳴動させることができると共に、ドアが第２角度に開いた状態が長時間（第３所定時間）続く場合に、ブザーによる警報を鳴動させることができる。
【発明を実施するための最良の形態】
【００２６】
以下、実施例を示した図面を参照しつつ本発明の実施の形態を説明する。尚、説明の都合上、後に説明する実施例に於いて、先に説明した実施例と同一構成部分については同一符号を付してその説明を省略する。
【００２７】
図１に於いて、１は、本発明の第１実施例のドアクローザーであり、ドアクローザー１は、ドア２に固着されると共に、油圧機構（図示せず）等によりドア２を緩慢に閉じる方向に作動させるためのドアクローザー本体３と、ドアクローザー本体３に回転自在に枢着されるレバー４と、レバー４先端部に回転自在に枢着されるアーム５と、壁６に固定され、アーム５を回転自在に枢着する壁固定用ステー７と、壁固定用ステー７とアーム５との枢着部８に設けられるディレイ機構９とを備えている。
【００２８】
そして、前記ディレイ機構９は、図２に示す如く、ドア２の回転数を増大して伝達する遊星ギアユニット１１と、遊星ギアユニット１１の回転により巻き上げられるゼンマイ１２と、ゼンマイ１２の巻き戻し回転を減速する減速遊星ギアユニット１３と、減速遊星ギアユニット１３により回転するロック解除手段である円盤状のタイマープレート１４と、ドアのロック手段であり、ドア２が所定の第１角度、例えば、９０度に開いた時、ドア２の作動をロックするロックピン１５とを備え、それらが、有底円筒状の上下ケース１６，１７内に収納されており、上下ケース１６，１７は、前記壁固定用ステー７を上下に挟持する状態に配置されている。そして、上下ケース１６，１７に挟持された壁固定用ステー７部分に、ロックピン１５と係合して、ロックピン１５をロックするための円板状のロック板１８が形成されている。
【００２９】
更に、詳細に説明すると、上ケース１６内には前記ロックピン１５が収納され、下ケース１７内には、前記壁固定用ステー７に形成されるロック板１８に固定される有底円筒状の上内ケース１９と上内ケース１９の下端に上端が固定される有底円筒状の下内ケース２０が収納され、上内ケース１９内には、前記ゼンマイ１２と、バネ２１と、減速遊星ギアユニット１３と、タイマープレート１４とが、下方から上方に向かって順次内装され、バネ２１によってゼンマイ１２は下方に付勢され、減速遊星ギアユニット１３と、タイマープレート１４とは上方に付勢され、タイマープレート１４は、前記ロック板１８に圧接されており、下内ケース２０内に遊星ギアユニット１１が内装されている。又、下内ケース２０の下端部には、下方に突設する爪２２が設けられている。
【００３０】
更に又、前記遊星ギアユニット１１は、上段遊星ギアユニット３１と、下段遊星ギアユニット３２の二段で構成され、上下段遊星ギアユニット３１，３２は、夫々太陽歯車３３と、遊星歯車３４と、内歯歯車３５とを備えて、ギア比が４：１となるように形成されている。そして、遊星ギアユニット３１は、前記上内ケース１９の底部に形成された開口部１９ａを介して、前記ゼンマイ１２の回転軸１２ａに接合自在に形成されている。
【００３１】
又、前記減速遊星ギアユニット１３も、前記上下段遊星ギアユニット３１，３２と同様に、図２（ｂ）に示す如く、夫々太陽歯車３３と、遊星歯車３４と、内歯歯車３５とを備えているが、前記上下段遊星ギアユニット３１，３２と逆方向に設けられ、ギア比が１：４となるように形成され、ゼンマイ１２の巻き戻し回転に対し、タイマープレート１４の回転数を減少させるように構成されている。
【００３２】
更に、前記遊星ギアユニット１１の下方には、上下段クラッチプレート３６，３８が、中間に介装されたバネ３８によって互いに離反する方向に付勢されて配設され、上段クラッチプレート３６には、上方に突設する爪３９が設けられ、下段クラッチプレート３７下端部外周部には下方に突設する鋸歯状の爪４０が配設され、一方、下ケース１７の内底部上面には爪４０に歯合し、下段クラッチプレート３７の一方向の回転を許容し、反対方向の回転を規制する爪４１が形成されている。
【００３３】
更に又、前記ロックピン１５は、図３に示す如く、ロックピン１５と、ロック板１８と、タイマープレート１４とで、ロック及びロック解除機構４２を構成している。
【００３４】
そして、前記ロック板１８には、ドア２が所定の第１角度、例えば、９０度開いた時、ロックピン１５を嵌入させるロック孔４３が開穿されている。
一方、タイマープレート１４の上面にもロック孔４３に嵌入自在の凸部４４が上方に向かって突設されている。
【００３５】
而して、図１乃至図４を参照して、前記ドアクローザー１の作用について説明すると、図１、図２及び図４に示す如く、ドア２が所定の第１角度、例えば、９０度開かれると、ドアクローザー本体３がドア２と共に移動し、ドアクローザー本体３に対しレバー４が回転し、レバー４に対しアーム５が回転すると共に、アーム５はロック板１８に対して回転する。
【００３６】
この時、図２及び図３に示す如く、ロック板１８に対してアーム５が１／４回転し、ロックピン１５がロック板１８のロック孔４３内に嵌まり、アーム５の回転がロックされ、ドア２の回転がロックされる。
【００３７】
一方、前記アーム５の回転によって、アーム５に固着された上下ケース１６，１７が前記上下内ケース１９，２０に対して１／４回転し、下ケース１７に設けた爪４１と下段クラッチプレート３７に設けた爪４０とが歯合することにより、上下段クラッチプレート３６，３７を介して遊星ギアユニット１１が回転し、即ち、上下段ギアユニット３１，３２が回転し、これによって、ゼンマイ１２が４回転巻き上げられる。
【００３８】
又、遊星ギアユニット１１の回転により減速遊星ギアユニット１３が回転し、減速遊星ギアユニット１３の回転によってタイマープレート１４が１回転し、タイマープレート１４の凸部４４がロック板１８のロック孔４３に嵌まる。
【００３９】
更に、下内ケース２０の爪２２に上段クラッチプレート３６の爪３９が係合して上段クラッチプレート３６が押し下げられ、即ち、上段クラッチプレート３６が下がり、それによって、遊星ギアユニット１１の中心軸４５と上段クラッチプレート３６との係合が外れる。
【００４０】
遊星ギアユニット１１が、上段クラッチプレート３６から外れることによって、巻き上げられたゼンマイ１２が４回転巻き戻しされると、タイマープレート１４が逆方向に１回転する。この時、タイマープレート１４がロック板１８に押され、タイマープレート１４から突設する凸部４４がロック板１８に圧接されているため、タイマープレート１４は緩慢に回転し、この回転時間がタイマー時間（第１所定時間）として利用される。そして、再び、タイマープレート１４の凸部４４がロック孔４３に嵌まり、ロックピン１５が持ち上がる。
【００４１】
ロックピン１５が持ち上がると、ドア２の自重によって、ロックピン１５がロック孔４３から抜け、ドア２が閉まり始める。この時、上段クラッチプレート３６の爪３９は図２（ｅ）の如く、係合して押し下げられたままで、下段クラッチプレート３７の爪４０が下ケース１７に設けた爪４１を乗り越えながら上下しアーム５が戻る。尚、ドア２が閉じている時は、上段クラッチプレート３６の爪３９は係合して押し下げられたままである。
【００４２】
斯くして、前記ドアクローザー１は、所定の第１角度、例えば、９０度開かれるドア２のロック状態を第１所定時間経過後に解除して、自動的にドア２を閉じることができるドアクローザーを提供することができる。又、ディレイ機構９の取付けも容易である。
又、前記ドアクローザー１は、高額な自動ドア等に比較して安価に提供できるので、コストダウンが図れる。
【００４３】
図５に於いて、５１は、本発明の第２実施例のドアクローザーであり、ドアクローザー５１は、本発明の第１実施例のドアクローザー（図４に於いて１）に於いて、ディレイ機構９の取付け位置を変更したものであり、ディレイ機構９は、レバー４先端部とアーム５との枢着部５２に設けられる。
【００４４】
従って、本発明の第１実施例のドアクローザー（図４に於いて１）に於いては、上下ケース１６，１７はアーム５に固定され、上下内ケース１９，２０は壁固定用ステー７に固定されたが、本発明の第２実施例のドアクローザー５１に於いては、上下ケース１６，１７はレバー４に固定され、上下内ケース１９，２０はアーム５に固定される。又、レバー４の一部であり、且つ、上下ケース１６，１７に挟持された部分に前記ロック板１８が形成される。
【００４５】
本発明の第２実施例のドアクローザー５１の作用効果については、本発明の第１実施例のドアクローザー１と略同様であるので、その説明を省略する。
【００４６】
図６に於いて、６１は、本発明の第３実施例のドアクローザーであり、ドアクローザー６１は、本発明の第１実施例のドアクローザー（図４に於いて１）に於いて、ディレイ機構９の取付け位置を変更したものであり、ディレイ機構９は、ドアクローザー本体３とレバー４との枢着部６２に設けられる。
【００４７】
従って、本発明の第１実施例のドアクローザー（図４に於いて１）に於いては、上下ケース１６，１７はアーム５に固定され、上下内ケースは壁固定用ステー７に固定されたが、本発明の第３実施例のドアクローザー６１に於いては、上下ケース１６，１７はドアクローザー本体３に固定され、上下内ケース１９，２０はレバー４に固定される。又、レバー４の一部であり、且つ、上下ケース１６，１７に挟持された部分に前記ロック板１８が形成される。
【００４８】
本発明の第３実施例のドアクローザー６１の作用効果については、本発明の第１実施例のドアクローザー１と略同様であるので、その説明を省略する。
【００４９】
図７に於いて、７１は、本発明の第４実施例のドアクローザーであり、ドアクローザー７１は、本発明の第１実施例のドアクローザー（図４に於いて１）に於いて、ディレイ機構（図４に於いて９）を改良したディレイ機構７２を設けたものであり、ディレイ機構７２は、図８に示す如く、本発明の第１実施例のドアクローザー（図４に於いて１）のロック板１８の所定位置に、ロック穴７３を形成したものであり、ロック穴７３は、ドア２が第３所定角度、例えば１１０度開いた時、前記ロックピン（図２に於いて１５）と別に設けた第２ロックピン７４を嵌入させて、第２ロックピン７４をロックするための穴をロック板１８上面に形成したものである。従って、ドア２が第３所定角度、例えば１１０度開いた時、ロックピン７４が位置する箇所にロック穴７３は形成される。
【００５０】
前記ドアクローザー７１によると、ドア２を１１０度開いた時は、ドア２は、開いた状態でロックされ、その状態が維持される。ドア２を閉じる時は、ドア２を人手によって閉じる方向に作動させると、その作動力によって、ロックピン１５がロック穴７３から抜け出し、ドア２がドアクローザー本体３の作動によって閉じ始める。
【００５１】
又、第１実施例のドアクローザー１の如く、タイマーを利かせたい場合は、ドア２を一旦閉じ、改めて第１実施例のドアクローザー１の如く、例えば、９０度開けると、第１実施例のドアクローザー１の作動と同様に、ドア２は開いてから第１所定時間経過後に閉じ始める。
【００５２】
斯くして、本発明の第４実施例のドアクローザー７１は、ドア２を開く角度によって、ドア２を開状態に維持することができ、又は、ドア２を開いてから一定時間経過後に閉じることもできるので、極めて利便性が高いものである。
尚、前記ディレイ機構７２は、他のドアクローザー５１及び６１にも適用可能である。
【００５３】
図９に於いて、８１は、本発明の第５実施例の電気回路であり、電気回路８１は、前記ドアクローザー７１に追加して設置するものであり、ドア２が前記第１角度に開いたことを検知する第１角度センサー８２と、ドア２が前記第２角度に開いたことを検知する第２角度センサー８３と、タイマー８４と、ブザー８５とが、制御回路８６に接続されて成る。
【００５４】
而して、制御回路８６は、第１角度センサー８２が、ドア２が前記第１角度に開いたことを検知した時、タイマー８４を作動させ、タイマー８４による前記第１所定時間よりも大なる第２所定時間（第１所定時間に一定時間を加えた時間）計測後に、ドア２が第１角度に開いていることを第１角度センサー８２が検知した時、即ち、前記ディレイ機構９の作動異常を検知して、前記ブザー８５を作動させ、警報を鳴動させる。
【００５５】
又、制御回路８６は、前記第２角度センサー８３が、ドア２が第２角度に開いたことを検知した時、タイマー８４を作動させ、タイマー８４による第３所定時間（やや、長時間に設定された時間）計測後に、ドア２が第２角度に開いていることを第２角度センサー８３が検知した時、即ち、ドア２が長時間開放状態になっている時、ブザー８５を作動させ、警報を鳴動させる。
【００５６】
斯くして、前記電気回路８１は、前記ディレイ機構７２の作動異常を検知できる共に、ドア２を長時間開放状態にした場合にブザー８５で知らせることができ、ドア２の安全性を高めることができる。
【００５７】
尚、前記ブザー８５に、通知用の音声も鳴動させることができるように構成し、ドア２が第２角度に開いてロックされた時、前記第２角度センサー８３の信号に基づき、制御回路８６から、ブザー８５に通知用の音声を鳴動させる信号を送出するように構成しても良い。
【００５８】
又、前記電気回路８１の内、第２角度センサー８３をなくし、第２角度センサー８３に基づく制御回路８６の制御をなくした電気回路を、前述したドアクローザー１、５１又は６１に設けてもよい。然る時も、前記ディレイ機構９の作動異常を報知できる。
更に、前記電気回路８１には、ブザー８５を設けたが、ブザー８５に代えてライトや、電子メール、電話などで通知する装置を設けても良い。
更に又、前記電気回路８１には、ドア２が前記第１角度に開いたことを検知する第１角度センサー８２と、ドア２が前記第２角度に開いたことを検知する第２角度センサー８３とを設けたが、更に、ドア２が僅かな角度に開いていることを検知する角度センサーをドア２又はドア枠に追加して設け、ドア２のミスクローズ時においてもブザー８５を鳴動させるように構成しても良い。
【００５９】
尚、本発明のディレイ機構９，７２は、上述の構成に限定されるものではなく、例えば、前記遊星ギアユニット１１に代えて、他の変速ギアを用いることも可能であり、然る時も、同様の効果が期待できる。
又、本発明のディレイ機構９，７２と同様の作用効果を、ドアクローザー本体３内の油圧回路、又は、ドアクローザー本体３外に別途設置する油圧回路によって実現することも可能である。
【図面の簡単な説明】
【００６０】
【図１】本発明の第１実施例のドアクローザーを概略的に示す斜視図である。
【図２】（ａ）本発明の第１実施例のディレイ機構を概略的に示す縦断面図である。（ｂ）前図（ａ）の減速遊星ギアユニットの歯車の組合せを概略的に示す平面図である。（ｃ）本発明の第１実施例のゼンマイ部分を概略的に示す平面図である。（ｄ）前図（ａ）の下内ケースに設けた爪と、上段クラッチプレートに設けた爪とが係合していない状態を示す説明図である。（ｅ）前図（ａ）の下内ケースに設けた爪と、上段クラッチプレートに設けた爪とが係合している状態を示す説明図である。（ｆ）前図（ａ）の上段クラッチプレートの平面断面図である。
【図３】（ａ）〜（ｄ）  本発明の第１実施例のディレイ機構の作動説明図である。
【図４】（ａ）〜（ｃ）  本発明の第１実施例のドアクローザーの作動説明図である。
【図５】（ａ）〜（ｃ）  本発明の第２実施例のドアクローザーの作動説明図である。
【図６】（ａ）〜（ｃ）  本発明の第３実施例のドアクローザーの作動説明図である。
【図７】（ａ）〜（ｃ）  本発明の第４実施例のドアクローザーの作動説明図である。
【図８】（ａ）〜（ｃ）  本発明の第４実施例のディレイ機構の作動説明図である。
【図９】本発明の第４実施例に追加して設ける電気回路図である。
【符号の説明】
【００６１】
１，５１，６１，７１  ドアクローザー
２  ドア
３  ドアクローザー本体
４  レバー
５  アーム
７  壁固定用ステー
８，５２，６２  枢着部
９  ディレイ機構
１１  遊星ギアユニット
１２  ゼンマイ
１４  タイマープレート
１５  ロックピン
１８  ロック板
４３  ロック孔
７２  ディレイ機構
７３  ロック穴
８２  第１角度センサー
８３  第２角度センサー
８４  タイマー
８５  ブザー
８６  制御回路
【図１】
2007113351.tif 000003
【図２】
2007113351.tif 000004
【図３】
2007113351.tif 000005
【図４】
2007113351.tif 000006
【図５】
2007113351.tif 000007
【図６】
2007113351.tif 000008
【図７】
2007113351.tif 000009
【図８】
2007113351.tif 000010
【図９】
2007113351.tif 000011